(57)【特許請求の範囲】
【請求項１】
表側に画像表示面を有するパネルの裏側に配され、且つ端部に緩衝体が設けられた蛍光管と、該蛍光管を支持し、且つ前記緩衝体が嵌入される凹所を有する支持体とを備えるバックライト装置において、前記支持体は、前記蛍光管の軸線と平行的に対向する二つの突片を有し、該突片間に前記凹所を配してあり、前記緩衝体には、前記二つの突片と対向する二つの側面及び該側面夫々に連なる面から突出し、略Ｕ字形をなす第１のシール片を設けてあり、該第１のシール片と前記蛍光管の軸線方向に離隔した位置で前記第１のシール片と対向し、略Ｕ字形をなす第２のシール片を前記凹所に設けてあり、前記第１及び第２のシール片の一方は他方の両側に配される二つであることを特徴とするバックライト装置。
【請求項２】
表側に画像表示面を有するパネルの裏側に配され、且つ端部に緩衝体が設けられた蛍光管と、該蛍光管を支持し、且つ前記緩衝体が嵌入される凹所を有する支持体とを備えるバックライト装置において、前記支持体は、前記蛍光管の軸線と平行的に対向する二つの突片を有し、該突片間に前記凹所を配してあり、前記緩衝体及び凹所は、前記蛍光管の軸線方向に離隔した位置に交互に突設され、且つ隣同士が前記軸線方向の位置で対向する第１及び第２のシール片を有し、前記蛍光管が光を放射する光放射空間を前記支持体の外部に対してシールしており、前記緩衝体は前記突片の先端部外面に対向するシール片を有することを特徴とするバックライト装置。
【請求項３】
前記蛍光管は複数本が並置されており、隣同士の二本の蛍光管の端部は電極及び該電極に接続された電源線により連結されており、前記支持体は並設された前記凹所を有する枠部材、及び夫々の蛍光管の前記緩衝体が前記凹所から抜出るのを防ぐ蓋板を備え、該蓋板は前記電源線が挿通された孔を有する請求項１又は２記載のバックライト装置。
【請求項４】
表側に画像表示面を有するパネルと、該パネルの裏側に配置された請求項１から３のいずれか一つに記載のバックライト装置とを備えることを特徴とする表示装置。
【発明の詳細な説明】
【技術分野】
【０００１】
本発明は液晶表示装置、プラズマ表示装置等の表示装置の光源として使用されるバックライト装置及びこれを備える表示装置に関する。
【背景技術】
【０００２】
テレビ等の表示装置は、画像を表示する画像表示面を前側に有するパネルの裏側にバックライト装置が配置されている。
【０００３】
バックライト装置は、両端部に緩衝体を有し、並置される複数本の蛍光管と、夫々の蛍光管の緩衝体が嵌入保持される凹所を蛍光管の長手方向へ離隔した二箇所に有する支持体とを備える（例えば、特許文献１参照）。また、支持体は直方体の枠形をなし、該支持体のパネル側端面に前記凹所が列設されており、支持体のパネルと反対側端面に反射板が設けられている。
【特許文献１】特開２００１−２１５４９７号公報
【発明の開示】
【発明が解決しようとする課題】
【０００４】
ところが、特許文献１にあっては、蛍光管の端部に取着された緩衝体が嵌入保持された支持体の凹所と前記緩衝体との間の隙間から蛍光管の光放射空間に埃が侵入し易く、改善策が要望されていた。ところで、前記隙間から侵入した埃はパネルの裏面に付着し、パネルの表示面に画像ムラとして現れる。
【０００５】
本発明は斯かる事情に鑑みてなされたものであり、主たる目的は蛍光管の端部に設けられた緩衝体と、蛍光管を支持し、且つ前記緩衝体が嵌入される凹所を有する支持体の前記凹所とに、蛍光管の軸線方向の位置で埃の侵入を順次遮る第１及び第２のシール片を設けたことにより、緩衝体及び凹所の間の隙間から蛍光管の光放射空間に埃が侵入するのを防ぐことができるバックライト装置及び表示装置を提供することにある。
【０００６】
また、他の目的は蛍光管の軸線と平行的に対向する二つの突片間に凹所を設け、前記突片の先端部外面に対向するシール片を緩衝体に設けることにより、凹所の開放縁と緩衝体との間の隙間から凹所に埃が侵入するのを防ぐことができるバックライト装置及び表示装置を提供することにある。
【０００７】
また、他の目的は蛍光管の端部に接続された電源線により二本の蛍光管をユニットとし、蛍光管を支持する支持体を、複数の凹所を有する枠部材及び緩衝体が前記凹所から抜出るのを防ぐ蓋板を備える構成とし、前記電源線が挿通された長孔を蓋板に設けたことにより、複数本の蛍光管を簡易に組み込むことができるバックライト装置及び表示装置を提供することにある。
【課題を解決するための手段】
【０００８】
本発明に係るバックライト装置は、表側に画像表示面を有するパネルの裏側に配され、且つ端部に緩衝体が設けられた蛍光管と、該蛍光管を支持し、且つ前記緩衝体が嵌入される凹所を有する支持体とを備えるバックライト装置において、前記支持体は、前記蛍光管の軸線と平行的に対向する二つの突片を有し、該突片間に前記凹所を配してあり、前記緩衝体には、前記二つの突片と対向する二つの側面及び該側面夫々に連なる面から突出し、略Ｕ字形をなす第１のシール片を設けてあり、該第１のシール片と前記蛍光管の軸線方向に離隔した位置で前記第１のシール片と対向し、略Ｕ字形をなす第２のシール片を前記凹所に設けてあり、前記第１及び第２のシール片の一方は他方の両側に配される二つであることを特徴とする。
【０００９】
この発明にあっては、緩衝体及び凹所の間の隙間から蛍光管の光放射空間に侵入する埃を第１及び第２のシール片により順次遮ることができるため、蛍光管の光放射空間に埃を侵入し難くできる。
【００１０】
また、本発明に係るバックライト装置は、表側に画像表示面を有するパネルの裏側に配され、且つ端部に緩衝体が設けられた蛍光管と、該蛍光管を支持し、且つ前記緩衝体が嵌入される凹所を有する支持体とを備えるバックライト装置において、前記支持体は、前記蛍光管の軸線と平行的に対向する二つの突片を有し、該突片間に前記凹所を配してあり、前記緩衝体及び凹所は、前記蛍光管の軸線方向に離隔した位置に交互に突設され、且つ隣同士が前記軸線方向の位置で対向する第１及び第２のシール片を有し、前記蛍光管が光を放射する光放射空間を前記支持体の外部に対してシールしており、前記緩衝体は前記突片の先端部外面に対向するシール片を有することを特徴とする。
【００１１】
この発明にあっては、凹所の開放縁と緩衝体との間の隙間をシール片により塞ぐことができるため、凹所の開放縁と緩衝体との間の隙間から凹所に埃が侵入するのを防ぐことができ、蛍光管の光放射空間に埃をより一層侵入し難くできる。
【００１２】
また、本発明に係るバックライト装置は、前記蛍光管は複数本が並置されており、隣同士の二本の蛍光管の端部は電極及び該電極に接続された電源線により連結されており、前記支持体は並設された前記凹所を有する枠部材、及び夫々の蛍光管の前記緩衝体が前記凹所から抜出るのを防ぐ蓋板を備え、該蓋板は前記電源線が挿通された孔を有することを特徴とする。
【００１３】
この発明にあっては、電源線が挿通された孔に埃が侵入しても、この埃が蛍光管の光放射空間に侵入し難くできる上、二本の蛍光管を電極及び電源線によりユニットにでき、さらに、複数本の蛍光管を蓋体により枠部材に固定することができる。
【００１４】
また、本発明に係る表示装置は、表側に画像表示面を有するパネルと、該パネルの裏側に配置された上述したバックライト装置とを備えることを特徴とする。
【００１５】
この発明にあっては、緩衝体及び凹部所の間の隙間から蛍光管の光放射空間に侵入する埃を第１及び第２のシール片により順次遮ることができ、また、凹所の開放縁と緩衝体との間の隙間をシール片により塞ぐことができるため、蛍光管の光放射空間に埃を侵入し難くでき、パネルの表示面に画像ムラを発生し難くできる。
【発明の効果】
【００１６】
以上詳述したように本発明によれば、緩衝体及び凹所の間の隙間から蛍光管の光放射空間に侵入する埃を第１及び第２のシール片により順次遮ることができるため、蛍光管の光放射空間に埃を侵入し難くできる。
【００１７】
また、本発明によれば、凹所の開放縁と緩衝体との間の隙間をシール片により塞ぐことができるため、凹所の開放縁と緩衝体との間の隙間から凹所に埃が侵入するのを防ぐことができ、蛍光管の光放射空間に埃をより一層侵入し難くできる。
【００１８】
また、本発明によれば、電源線が挿通された孔に埃が侵入しても、この埃が蛍光管の光放射空間に侵入し難くできる上、二本の蛍光管を電極及び電源線によりユニットにでき、さらに、複数本の蛍光管を蓋体により枠部材に固定することができる。
【００１９】
また、本発明によれば、第１及び第２のシール片又は第１〜第３のシール片により蛍光管の光放射空間に埃を侵入し難くできるため、パネルモジュールの表示面に画像ムラを発生し難くできる。
【発明を実施するための最良の形態】
【００２０】
以下本発明をその実施の形態を示す図面に基づいて詳述する。
実施の形態１
図１は本発明に係るバックライト装置の実施の形態１の要部の構成を示す拡大断面図、図２は図１のII−II線の断面図、図３は図１のIII−III線の断面図、図４は蛍光管をユニットにした状態を示す拡大斜視図、図５は支持体の枠部材の構成を示す一部分の斜視図、図６は蛍光管支持部分の裏面図である。
【００２１】
図示したバックライト装置Ａは、複数本が並置される円筒形をなす蛍光管１と、該蛍光管１の両端部を支持する支持体２とを備える。
【００２２】
蛍光管１は両端部に電極１ａ，１ａを有する冷陰極管であり、両端部にゴム製の緩衝体３，３が外嵌保持されている。隣同士の二つの蛍光管１，１は、両端部の電極１ａ，１ａに接続された電源線４，４と、該電源線４，４に接続されたコネクタ５，５とにより一つのユニットになっている。
【００２３】
緩衝体３は嵌合孔３ａを有する略直方体をなしており、一面３ｂ及び該一面３ｂに連なる両側面に３ｃ，３ｃに、二つの第１のシール片３１，３１が略Ｕ字形をなすように突設されている。他面３ｄには電源線４が挿通される挿通孔３２及び該挿通孔３２の孔縁周りに突設された嵌合凸部３３が設けられている。第１のシール片３１，３１は蛍光管１の軸線方向に離隔した位置に突設されている。
【００２４】
支持体２は、直方体をなす枠部材２１と、該枠部材２１に設けられた後記する複数の凹所２２を閉鎖する蓋板２３とを備え、蛍光管１が放射した光を反射させる反射シート６を蓋板２３の表面に支持してある。
【００２５】
枠部材２１は、蛍光管１の軸線とほぼ平行に配置され、中央部に角孔を有する基板２１ａと、該基板２１ａの内縁部から垂下された四つの垂下片２１ｂと、対向する二つの垂下片２１ｂ，２１ｂ及び基板２１ａの間に前記軸線と平行的に突設された複数の第１及び第２の突片２１ｃ，２１ｃと、他の二つの垂下片２１ｂ，２１ｂと対向する補強リブ２１ｄ，２１ｄとを有しており、第１及び第２の突片２１ｃ，２１ｃ間に、夫々の蛍光管１の緩衝体３，３が嵌入される凹所２２が等間隔で並設されている。また、二つの垂下片２１ｂ，２１ｂの凹所２２に臨む位置には蛍光管１を受入れる受入溝２１ｅが設けられている。
【００２６】
夫々の凹所２２には蛍光管１の軸線方向に離隔した位置で第１のシール片３１，３１と対向する二つの第２のシール片２４，２４が突設されている。第２のシール片２４，２４は基板２１ａ及び突片２１ｃ，２１ｃに突設されて略Ｕ字形をなしており、前記軸線方向の位置で第１のシール片３１，３１と交互に対向している。
【００２７】
蓋板２３は枠部材２１に対応する大きさの板部２３ａ、及び該板部２３ａの外縁に連なるフランジ２３ｂを有しており、該フランジ２３ｂが枠部材２１に取外し可能に結合されている。板部２３ａの凹所２２と向き合う二箇所には複数の長孔２５が等間隔で並設されている。この長孔２５は隣同士の凹所２２，２２の二つに跨る長さを有しており、前記ユニットの蛍光管１に接続された電源線４が長孔２５に挿通されている。
【００２８】
以上のように構成されたバックライト装置Ａは、凹所２２が上向となるように作業台に載置された枠部材２１の二箇所の凹所２２，２２に、ユニットの蛍光管１の両端部に保持された緩衝体３，３を嵌入し、複数本の蛍光管１を枠部材２１に支持する。次に蓋板２３を枠部材２１に載置し、ユニットの蛍光管１の緩衝体３，３の嵌合凸部３３，３３を一つの長孔２５に嵌込み、電源線４及びコネクタ５を枠部材２１の外部に配置することにより、電源線４及びコネクタ５に邪魔されることなく夫々の蛍光管１の緩衝体３，３が凹所２２，２２から抜出るのを防ぐことができ、蛍光管１を支持体２に支持することができる。この状態で蓋板２３のフランジ２３ｂを枠部材２１に結合する。
【００２９】
このように組立てられたバックライト装置Ａは、凹所２２，２２の長孔２５と向き合う部分が長孔２５を介して外部に開放されており、長孔２５に嵌め込まれた二つの嵌合凸部３３，３３と長孔２５との間に隙間があるため、この隙間から凹所２２，２２に埃が侵入可能である。しかし、凹所２２，２２に嵌入された緩衝体３，３と凹所２２，２２との間には第１及び第２のシール片３１，２４が蛍光管１の軸線方向に交互に設けられており、且つ隣同士のシール片３１，２４が前記軸線方向の位置で対向し、蛍光管１が光を放射する光放射空間Ｂを支持体２の外部に対してシールしているため、嵌合凸部３３，３３及び長孔２５間の隙間に埃が侵入した場合、この埃の更なる侵入を第２のシール片２４、第１のシール片３１、第２のシール片２４、第１のシール片３１により順次遮ることができる。従って、緩衝体３，３及び凹所２２の間の隙間から蛍光管１の光放射空間Ｂに埃が侵入するのを防ぐことができる。
【００３０】
実施の形態２
図７は本発明に係るバックライト装置Ａの実施の形態２の要部の構成を示す拡大断面図である。
【００３１】
このバックライト装置Ａは、凹所２２の開放縁を塞ぐための第３のシール片３４を緩衝体３に設け、凹所２２の開放縁から凹所２２に埃が侵入し難いように構成したものである。
【００３２】
第３のシール片３４は、緩衝体３の第１のシール片３１が設けられた両側面３ｃ，３ｃに一体に突設され、断面略Ｌ字形をなしており、第１及び第２の突片２１ｃ，２１ｃの先端部外面に対向し、凹所２２の長孔２５と向合う部分の開放縁を塞いでいる。
【００３３】
このバックライト装置Ａによれば、凹所２２の長孔２５と向合う部分の開放縁を第３のシール片３４が塞いでいるため、凹所２２の長孔２５と向合う部分の開放縁から凹所２２に埃が侵入するのを防ぐことができる。従って、第１及び第２のシール片３１，２４による封止と相俟って緩衝体３及び凹所２２の間の隙間から蛍光管１の光放射空間に埃が侵入するのをより一層効果的に防ぐことができる。
【００３４】
以上のように構成されたバックライト装置Ａは液晶表示装置、プラズマ表示装置等の表示装置の光源として使用される。
図８は本発明に係る表示装置の構成を示す模式的断面図である。この表示装置はテレビ画像を表示する画像表示面７ａを表側に有し、直方体をなすパネル７と、該パネル７の裏側に配置されたバックライト装置Ａと、該バックライト装置Ａを収容する筺体８と、該筺体８の裏側に取着された回路基板及び電源基板等の電気部品９と、パネル７の周縁部を取囲む四角形をなすフロントキャビネット１０と、バックライト装置Ａを覆うバックキャビネット１１とを備える液晶テレビ、換言すれば液晶表示装置である。
【００３５】
パネル７は四角形をなす保持枠体１２により周縁部が保持されており、該パネル７の裏側に、反射偏光板１３、プリズムシート１４、拡散シート１５、拡散板１６等の光学シートが配置されており、保持枠体１２に筺体８が取着されている。
【００３６】
筺体８は複数の貫通孔８１が穿設されており、バックライト装置Ａの支持体２は貫通孔８１に嵌入される複数のホルダ２６が設けられており、ホルダ２６の貫通孔８１への嵌入により支持体２が筺体８に取着されており、支持体２の内部が蛍光管１の光放射空間Ｂになっている。また、蛍光管１の電極に接続された電源線は筺体８の前記貫通孔に挿通され、電源線に接続されたコネクタが前記電源基板の端子に接続されている。
【００３７】
この液晶表示装置にあっては筺体８の貫通孔８１から筺体８内に埃が侵入可能であるが、筺体８の内部に収容された蛍光管１の緩衝体３，３及び支持体２の凹所２２間には第１及び第２のシール片３１，２４が設けられており、また、凹所２２の開放縁を第３のシール片３４が塞いでいるため、緩衝体３及び凹所２２の間の隙間から蛍光管１の光放射空間Ｂに埃が侵入するのをより一層効果的に防ぐことができる。
【００３８】
尚、以上説明した実施の形態では両端部に緩衝体３，３が設けられた蛍光管１を備える構成としたが、その他、一端部に緩衝体３が設けられた蛍光管１を備える構成であってもよい。
また、第１及び第２のシール片３１，２４を夫々二つ有する構成としたが、その他、第１及び第２のシール片３１，２４の一方は一つであってもよい。また、蓋板２３は長孔２５を有する構成としたが、その他、蓋板２３は長孔２５に代えて丸孔を有する構成としてもよい。
【００３９】
また、本発明に係る表示装置は液晶テレビ等の液晶表示装置である他、プラズマ表示装置、ＥＬディスプレイ等の表示装置であってもよい。
【図面の簡単な説明】
【００４０】
【図１】本発明に係るバックライト装置の実施の形態１の要部の構成を示す拡大断面図である。
【図２】図１のII−II線の断面図である。
【図３】図１のIII−III線の断面図である。
【図４】本発明に係るバックライト装置の蛍光管をユニットにした状態を示す拡大斜視図である。
【図５】本発明に係るバックライト装置の支持体の枠部材の構成を示す一部分の斜視図である。
【図６】本発明に係るバックライト装置の蛍光管支持部分の裏面図である。
【図７】本発明に係るバックライト装置の実施の形態２の要部の構成を示す拡大断面図である。
【図８】本発明に係る表示装置の構成を示す模式的断面図である。
【符号の説明】
【００４１】
１    蛍光管
１ａ  電極
２    支持体
２１  枠部材
２１ｃ  突片
２２  凹所
２３  蓋板
２４  第２のシール片
２５  長孔（孔）
３    緩衝体
３１  第１のシール片
３４  シール片
４    電源線
７    パネル 
【図１】
0004459141.tif 000002
【図２】
0004459141.tif 000003
【図３】
0004459141.tif 000004
【図４】
0004459141.tif 000005
【図５】
0004459141.tif 000006
【図６】
0004459141.tif 000007
【図７】
0004459141.tif 000008
【図８】
0004459141.tif 000009